(57)【要約】【課題】  コピー・ワンス等の規約を遵守しつつ、処理負荷を必要以上に増大させることなく、映像コンテンツのサムネイル表示による利用者の利便性の向上を実現する。【解決手段】  チューナ部１１で受信したコピー・ワンス・コンテンツ４０を、権利保護回路２０内において、放送暗号復号部２１で復号し、通常サイズコンテンツ４１の暗号化と、サムネイルコンテンツ４２の生成および暗号化を行い、記憶装置１３に格納する。記憶装置１３内の通常サイズコンテンツ４１およびサムネイルコンテンツ４２の暗号鍵は、鍵管理回路部２４がアクセスする鍵管理表３０にて管理される。再生時は、通常サイズコンテンツ４１またはサムネイルコンテンツ４２の一方を再生部１２に読み出し、復号部１２ａで復号した後、ＭＰＥＧデコード部１２ｂでデコードしてＲＧＢ等の映像信号を生成し、モニタ１４に表示する。【選択図】図１
2007049306.tif 000002
【特許請求の範囲】
【請求項１】
受信された通常の表示サイズの第１映像情報から縮小表示サイズの第２映像情報を生成する画像縮小手段と、
前記第１映像情報を暗号化する第１暗号化手段と、
前記第２映像情報を暗号化する第２暗号化手段と、
暗号化された前記第１および第２映像情報が格納される記憶手段と、
前記第１および第２映像情報のいずれか一方を再生手段にて選択的に再生させる再生制御手段と、
を含むことを特徴とする映像情報受信装置。
【請求項２】
請求項１記載の映像情報受信装置において、
前記再生制御手段は、前記第１および第２映像情報を互いに対応付けて管理するための管理情報を、当該再生制御手段のみが持つマスタ鍵にて暗号化して管理し、前記管理情報に基づいて互いに対応する前記第１および第２画像情報のいずれか一方を選択的に再生させることを特徴とする映像情報受信装置。
【請求項３】
請求項２記載の映像情報受信装置において、
前記管理情報は、互いに対応する前記第１および第２映像情報の各々を前記第１および第２暗号化手段で暗号化する際に用いられた互いに異なる暗号鍵の対と、前記第１および第２映像情報に共通なタイトル名称とを対応つけて保持し、
前記再生制御手段は、前記異なる暗号鍵のいずれか一方を前記再生手段に使用させることで、互いに対応する前記第１および第２映像情報のいずれか一方を選択的に再生させることを特徴とする映像情報受信装置。
【請求項４】
請求項２記載の映像情報受信装置において、
前記管理情報は、互いに対応する前記第１および第２映像情報の各々を前記第１および第２暗号化手段で暗号化する際に用いられた共通の暗号鍵と、前記第１および第２映像情報の各々を識別する識別情報とを、前記第１および第２映像情報に共通なタイトル名称に対応つけて保持し、
前記第２暗号化手段は、前記第２映像情報を構成する単位映像情報と前記第２情報の前記識別情報とからハッシュ値を算出し、前記単位映像情報と前記ハッシュ値を前記暗号鍵で暗号化して前記記憶手段に格納し、
前記再生制御手段は、前記暗号鍵で復号された前記ハッシュ値と、前記管理情報から得られた前記識別情報および前記暗号鍵で復号された前記第１または第２映像情報を構成する前記単位映像情報の組み合わせから生成されるハッシュ値との一致不一致を判定することで、前記第１および第２映像情報を判別して、互いに対応する前記第１および第２映像情報のいずれか一方を前記再生手段において選択的に再生させることを特徴とする映像情報受信装置。
【請求項５】
通常の表示サイズの第１映像情報から縮小表示サイズの第２映像情報を生成する画像縮小手段と、
前記第１映像情報を暗号化する第１暗号化手段と、
前記第２映像情報を暗号化する第２暗号化手段と、
暗号化された前記第１または第２映像情報を復号して目視可能に再生する再生手段を制御し、前記第１および第２映像情報のいずれか一方を前記再生手段にて選択的に再生させる再生制御手段と、
を含むことを特徴とする集積回路装置。
【発明の詳細な説明】
【技術分野】
【０００１】
本発明は、映像情報受信技術、集積回路技術に関し、特に、限定受信方式のデジタル放送における著作権保護を必要とする映像コンテンツの受信等に適用して有効な技術に関する。
【背景技術】
【０００２】
情報化社会の高度化、多様化、さらには放送受信機器の高性能化、低価格化等に呼応して、わが国においてもコピー・ワンス対応デジタル放送が２００４年４月に開始された。ところで、デジタル化されて配信される映像コンテンツは、高画質を維持した複製処理が極めて容易であるため、当該映像コンテンツの著作権保護を適切に実現すべく、デジタルテレビジョン受信装置等の受信機器に、いわゆるコピー・ワンス等の制約条件が付加されている。
【０００３】
すなわち、このコピー・ワンスの契約条件が付加された映像コンテンツを受信する受信装置では、受信した映像コンテンツを一度だけ蓄積することが許され、それ以降に複製（コピー）を作ることは許されない。当該蓄積操作自体が１回の複製処理と見なされるためである。
【０００４】
一方、複数の映像コンテンツ（通常サイズの動画像）を受信装置内のＨＤＤ（Ｈａｒｄ  Ｄｉｓｋ  Ｄｒｉｖｅ）等の記憶装置に蓄積し、見たいコンテンツを選択する場合、予め各コンテンツのサムネイル（縮小動画像）を記憶装置に蓄積しておき、記憶装置に蓄積されたコンテンツのサムネイルを閲覧しながら、視聴したいコンテンツを選択するのが普通である。表示サイズの小さなサムネイルなら、モニタに複数のコンテンツを同時に表示できるからである。
【０００５】
また、サムネイル（縮小動画像）を最初から本来の通常サイズのコンテンツとともに記憶装置に蓄積しておくのは、複数の通常サイズのコンテンツをリアルタイムでサムネイル（縮小）表示すると、当該表示処理に多大の処理性能が必要となり、実現困難だからである。これに対して、予め縮小された動画像（サムネイル）を通常サイズのコンテンツとともに蓄積しておく方法では、サイズが小さい分、再生表示に伴う情報処理量も少なく、リアルタイムな表示処理が可能である。
【０００６】
しかしながら、上述のように予め縮小された動画像（サムネイル）を通常サイズのコンテンツとともに蓄積しておく方法は、コピー・ワンスの規定の下ではもはや許されない。
すなわち、通常サイズのコンテンツと、その縮小サイズのコンテンツ（サムネイル動画像）の両方を記憶装置に蓄積すると、一つのタイトルのコンテンツについて、利用可能なコンテンツが記憶装置内に２つ以上同時に存在することになり、コピー・ワンスの規約に違反するためである。
【０００７】
このように、コピー・ワンスの制約下では、デジタル放送の受信装置等において、複数のコンテンツのサムネイルによる同時表示の利用が困難となることが懸念される。
なお、特許文献１には、コピー・ワンス等の制約を有するテレビジョン番組を受信して保存する場合に、保存先の記録媒体として移動可能な記録媒体を選択可能にする記録制御装置を設けることで、ＨＤＤのような交換不可能な記録媒体に番組が記録されることを防止して、利用者の利便性を向上させようとするテレビジョン放送受信装置が開示されている。
【０００８】
しかし、当該特許文献１では、上述のような本来の映像コンテンツと、そのサムネイルを同時に保存する場合における上述の技術的課題は認識されていない。
【特許文献１】特開２００３−１６９２７９号公報
【発明の開示】
【発明が解決しようとする課題】
【０００９】
本発明の目的は、上述の事情に鑑みなされたもので、コピー・ワンス等の著作権上の規約を遵守しつつ、また、処理負荷を必要以上に増大させることなく、映像コンテンツのサムネイル表示による利用者の利便性の向上を実現することにある。
【課題を解決するための手段】
【００１０】
本発明の第１の観点は、受信された通常の表示サイズの第１映像情報から縮小表示サイズの第２映像情報を生成する画像縮小手段と、
前記第１映像情報を暗号化する第１暗号化手段と、
前記第２映像情報を暗号化する第２暗号化手段と、
暗号化された前記第１および第２映像情報が格納される記憶手段と、
前記第１および第２映像情報のいずれか一方を再生手段にて選択的に再生させる再生制御手段と、
を含む映像情報受信装置を提供する。
【００１１】
本発明の第２の観点は、通常の表示サイズの第１映像情報から縮小表示サイズの第２映像情報を生成する画像縮小手段と、
前記第１映像情報を暗号化する第１暗号化手段と、
前記第２映像情報を暗号化する第２暗号化手段と、
暗号化された前記第１または第２映像情報を復号して目視可能に再生する再生手段を制御し、前記第１および第２映像情報のいずれか一方を前記再生手段にて選択的に再生させる再生制御手段と、
を含む集積回路装置を提供する。
【００１２】
上記した本発明によれば、受信された通常の表示サイズの第１映像情報および当該第１映像情報から生成された縮小サイズの第２映像情報を暗号化して記憶装置等に予め格納しておき、再生制御手段の管理の下で、再生手段が第１および第２映像情報のいずれか一方のみを選択的に復号して再生することができる。
【００１３】
これにより、たとえば、映像情報の選択メニュー等においては、複数の縮小サイズの第２映像情報を同時に表示して利用者に選択させ、選択されたものについて、通常サイズの第１映像情報を再生することにより、同一タイトルの第１および第２映像情報を併存させつつ、両者が同時に再生されることは確実に防止できる。従って、コピー・ワンス等の規約を遵守しつつ、サムネイル等の縮小画像の複数表示による利用者の利便性の向上を実現できる。
【発明の効果】
【００１４】
本発明によれば、コピー・ワンス等の著作権上の規約を遵守しつつ、また、処理負荷を必要以上に増大させることなく、映像コンテンツのサムネイル表示による利用者の利便性の向上を実現することができる。
【発明を実施するための最良の形態】
【００１５】
以下、図面を参照しながら、本発明の実施の形態について詳細に説明する。
図１は、本発明の一実施の形態である映像情報受信装置の構成の一例を示すブロック図である。
【００１６】
本実施の形態の映像情報受信装置１０は、チューナ部１１、再生部１２、記憶装置１３、モニタ１４および権利保護回路２０を備えている。この映像情報受信装置１０は、たとえばデジタルテレビジョン放送受信装置である。
【００１７】
チューナ部１１は、たとえばデジタル放送の受信機能を備え、たとえば、ＭＰＥＧ２等の映像符号化方式で符号化され、さらにＭＵＬＴＩ２形式の暗号化方式で暗号化された状態で放送されたコピー・ワンス・コンテンツ４０を受信する。コピー・ワンス・コンテンツ４０が放送時に暗号化されるのは、放送中の盗用を防止するためである。
【００１８】
コピー・ワンス・コンテンツ４０は、受信側で１回だけ複製処理が許容される著作権保護契約の下で配信されるコンテンツであるが、放送受信の場合には、当該コンテンツを受信して記憶装置１３に格納する行為が１回の複製処理と見なされるため、コピー・ワンスの受信規約を遵守するためには、記憶装置１３に格納されたコンテンツを、覗き見や盗用から保護する必要がある。また、本実施の形態では、同一のコピー・ワンス・コンテンツ４０から通常サイズコンテンツ４１とサムネイルコンテンツ４２を生成して併存させるが、両者が同時再生されないように制御する必要がある。本実施の形態では、後述の権利保護回路２０にて、上述のコピー・ワンス規約を遵守するためのコンテンツ保護および再生制御を実現する。
【００１９】
本実施の形態の場合、映像情報受信装置１０には、この放送暗号を解読する復号鍵８１が格納されたＢ−ＣＡＳカード８０が装着されている。そして、暗号化されて受信されたコピー・ワンス・コンテンツ４０は、このＢ−ＣＡＳカード８０から出力される復号鍵８１を用いて後述のように復号される。このＢ−ＣＡＳカード８０は、コピー・ワンス・コンテンツ４０の制限受信を実現するためにコピー・ワンス・コンテンツ４０の放送元から個々の映像情報受信装置１０のユーザに支給されたものである。
【００２０】
記憶装置１３は、受信したコピー・ワンス・コンテンツ４０を、権利保護回路２０において後述のように暗号化された状態で記憶する。本実施の形態の場合、コピー・ワンス・コンテンツ４０は、通常サイズコンテンツ４１およびサムネイルコンテンツ４２の各々として暗号化された状態で記憶装置１３に記憶される。
【００２１】
再生部１２は、復号部１２ａおよびＭＰＥＧデコード部１２ｂを備えており、後述のような復号化およびデコード処理にて通常サイズコンテンツ４１またはサムネイルコンテンツ４２を再生してモニタ１４に出力する。特に図示しないが、モニタ１４にはスピーカも備えられており、通常サイズコンテンツ４１またはサムネイルコンテンツ４２に含まれる音響情報も出力する。
【００２２】
再生部１２の復号部１２ａおよびＭＰＥＧデコード部１２ｂは、集積回路等のハードウェアにて実現してもよいし、あるいは、映像情報受信装置１０に設けられた図示しない汎用のマイクロプロセッサにて実行されるソフトウェアにて実現してもよい。
【００２３】
モニタ１４は、再生部１２から出力される画像情報や音響情報を視聴可能に出力する。
権利保護回路２０は、放送暗号復号部２１、通常サイズコンテンツ暗号化部２２、サムネイルコンテンツ生成／暗号化部２３および鍵管理回路部２４を含んでいる。この権利保護回路２０はたとえば１チップのＬＳＩで構成することができる。
【００２４】
放送暗号復号部２１は、チューナ部１１で受信され、たとえばＭＵＴＩ２暗号等によって暗号化（スクランブル）されたコピー・ワンス・コンテンツ４０を、当該映像情報受信装置１０に装着された制限受信用のＢ−ＣＡＳカード８０から読み出される復号鍵８１にて復号（スクランブルを解除）する処理を行う。
【００２５】
通常サイズコンテンツ暗号化部２２は、受信されたコピー・ワンス・コンテンツ４０を、通常サイズコンテンツ４１として、所定のアルゴリズムによるローカル暗号化を施して記憶装置１３に格納する処理を行う。
【００２６】
サムネイルコンテンツ生成／暗号化部２３は、デコード部２３ａ、縮小処理部２３ｂ、エンコード部２３ｃおよび暗号化部２３ｄを含んでいる。
そして、サムネイルコンテンツ生成／暗号化部２３では、一旦、コピー・ワンス・コンテンツ４０をデコード部２３ａにてＭＰＥＧ２のデコード処理を行って得られた通常サイズの動画像に、縮小処理部２３ｂにて縮小処理を施した後、エンコード部２３ｃにて再度、ＭＰＥＧ２形式に符号化した後、さらに、暗号化部２３ｄにてローカル暗号化を施し、サムネイルコンテンツ４２として、記憶装置１３に格納する処理を行う。
【００２７】
なお、サムネイルコンテンツ生成／暗号化部２３の構成要素の中で、デコード部２３ａ、縮小処理部２３ｂおよびエンコード部２３ｃは、映像情報受信装置１０に設けられた図示しない汎用のマイクロプロセッサにて実行されるソフトウェアにて実現してもよい。
【００２８】
鍵管理回路部２４は、ＭＰＵコア２４ａ、ＲＡＭコア２４ｂ、ＲＯＭコア２４ｃ、Ｉ／Ｏインタフェース２４ｄおよびこれらの構成要素を相互に接続する内部バス２４ｅを含んでいる。
【００２９】
ＭＰＵコア２４ａは、中央処理装置であり、ＲＡＭコア２４ｂに格納されたコンテンツ管理プログラム２４ｆ等のプログラムを実行することで、鍵管理処理や、通常サイズコンテンツ４１、サムネイルコンテンツ４２の選択的な再生処理の制御等を実現する。
【００３０】
ＲＡＭコア２４ｂは、主記憶として機能し、ＭＰＵコア２４ａが実行するコンテンツ管理プログラム２４ｆやデータが格納される。
ＲＯＭコア２４ｃは、たとえば一括消去型ＥＥＰＲＯＭ等の記録媒体で構成され、後述の鍵管理表３０を管理するためのマスタ鍵３１、ハッシュ値３２等の情報が不揮発に、かつ書き換え可能に記憶される。
【００３１】
Ｉ／Ｏインタフェース２４ｄは、サムネイルコンテンツ生成／暗号化部２３と、他の通常サイズコンテンツ暗号化部２２、サムネイルコンテンツ生成／暗号化部２３、再生部１２、記憶装置１３等との間における情報の授受を制御する。
【００３２】
本実施の形態では、通常サイズコンテンツ４１およびサムネイルコンテンツ４２を暗号化して管理する権利保護回路２０を、たとえば、１チップのＬＳＩ等の集積回路にて実現することで、権利保護回路２０の内部の覗き見や改竄が非常に困難になっている。
【００３３】
記憶装置１３には、図２に例示されるような鍵管理表３０が格納され、記憶装置１３に格納される通常サイズコンテンツ４１およびサムネイルコンテンツ４２の管理に用いられる。
【００３４】
鍵管理表３０は、コンテンツ名３３、通常サイズ用コンテンツ鍵３４、およびサムネイル用コンテンツ鍵３５の情報が、コンテンツ名３３にて特定される個々のコンテンツ毎に対応付けられて格納されている。
【００３５】
この鍵管理表３０は、鍵管理回路部２４が持つマスタ鍵３１で暗号化された状態で記憶装置１３に存在する。また、鍵管理表３０の全体の情報からハッシュ値３２が生成され、マスタ鍵３１と共に、鍵管理回路部２４の内部で管理される。このため、鍵管理表３０、さらには、鍵管理表３０にて管理される記憶装置１３内の通常サイズコンテンツ４１、サムネイルコンテンツ４２は、外部からの覗き見や改竄等の不正行為から保護されている。
【００３６】
以下、本実施の形態の作用の一例について説明する。本実施の形態では、以下のようにしてコピー・ワンス規約を遵守しつつサムネイルコンテンツ４２の表示を可能にする。
まず、通常サイズコンテンツ４１を処理する場合、コピー・ワンス・コンテンツ４０を受信すると、支給されたＢ−ＣＡＳカード８０から当該放送チャンネル対応の復号鍵８１を出力させ、放送暗号復号部２１において一旦、暗号復号する。その後、記憶装置１３にコピー・ワンス・コンテンツ４０を蓄積する際は、コピー・ワンス遵守のため、映像情報受信装置１０（鍵管理回路部２４）しか知らない通常サイズ用コンテンツ鍵３４で暗号化し、通常サイズコンテンツ４１として記憶装置１３に蓄積する。
【００３７】
サムネイルコンテンツ４２については、以下のように処理する。
即ち、Ｂ−ＣＡＳカード８０の復号鍵８１で復号されたコピー・ワンス・コンテンツ４０は、サムネイルコンテンツ生成／暗号化部２３のデコード部２３ａで一旦、ＭＰＥＧ２形式の符号化状態からデコードされ、ＭＰＥＧ符号化圧縮前のコピー・ワンス・コンテンツ４０が再生される。このコピー・ワンス・コンテンツ４０の表示サイズを縮小処理部２３ｂで縮小し、さらに再び、エンコード部２３ｃにて、ＭＰＥＧ２符号化による圧縮処理（一般にエンコードという）を行う。さらに、ＭＰＥＧ２形式にエンコードされた画像情報をサムネイル用コンテンツ鍵３５を用いて暗号化し、サムネイルコンテンツ４２として記憶装置１３に蓄積する。
【００３８】
図１の例では、通常サイズコンテンツ４１とサムネイルコンテンツ４２は、一例として、別々の通常サイズ用コンテンツ鍵３４およびサムネイル用コンテンツ鍵３５で暗号化されている。
【００３９】
上述のように、映像情報受信装置１０の内部のローカルな暗号化に用いられる通常サイズ用コンテンツ鍵３４、サムネイル用コンテンツ鍵３５は、鍵管理回路部２４がセキュアに外部から覗き見や改竄が出来ないように例えば、マスタ鍵３１で暗号化した上で記憶装置１３などに保存する。通常サイズ用コンテンツ鍵３４、サムネイル用コンテンツ鍵３５を記憶装置１３に保存するのは、一般に鍵管理回路部２４のＲＯＭコア２４ｃ等のメモリ容量が少なく、無数の鍵全部（個々のコピー・ワンス・コンテンツ４０毎に違う鍵で保存する必要があり、無数のコンテンツを記憶装置１３に蓄積すれば、無数の鍵を保存する必要がある）を保存するのが困難だからである。その代わり、鍵管理回路部２４には、マスタ鍵３１が１つだけ保存されており、これで、通常サイズ用コンテンツ鍵３４およびサムネイル用コンテンツ鍵３５が格納される鍵管理表３０を暗号化して記憶装置１３に保存することで、鍵管理表３０に保持された無数の通常サイズ用コンテンツ鍵３４、サムネイル用コンテンツ鍵３５等の鍵を安全に管理／再生することが出来る。
【００４０】
このようにして作成されたサムネイルコンテンツ４２は、暗号化されており、本実施の形態の映像情報受信装置１０以外で利用することは出来ない。また、映像情報受信装置１０には、一つのコピー・ワンス・コンテンツ４０毎に、サムネイルコンテンツ４２と通常サイズコンテンツ４１が暗号化された状態とは言え、２種類存在するが、鍵管理回路部２４が１箇所でコントロール可能であり、鍵管理回路部２４がコントロールする限り、一つのコピー・ワンス・コンテンツ４０について利用できるコンテンツは、通常サイズコンテンツ４１またはサムネイルコンテンツ４２のいずれか１個しか存在しないことを保証できる。即ち、鍵管理回路部２４のコンテンツ管理プログラム２４ｆが、通常サイズコンテンツ４１かサムネイルコンテンツ４２の何れか一方のみを再生するように、再生部１２の復号部１２ａに与える鍵を制御することで、一つのコピー・ワンス・コンテンツ４０について、通常サイズコンテンツ４１またはサムネイルコンテンツ４２のいずれか一方のみを再生させる。
【００４１】
なお、鍵管理回路部２４で、通常サイズコンテンツ４１かサムネイルコンテンツ４２の何れか一方のみを再生するように制御するには、通常サイズコンテンツ４１とサムネイルコンテンツ４２のコンテンツの内容が同一である（共通のコピー・ワンス・コンテンツ４０から得られたもの）という関連付け情報が必要である。そうでないと鍵管理回路部２４が、間違えて、通常サイズコンテンツ４１とサムネイルコンテンツ４２を同時再生してしまい、利用できるコンテンツは、１個だけというコピー・ワンスのルールに違反する可能性がある。
【００４２】
このため、上述のように、本実施の形態の鍵管理回路部２４に、鍵管理表３０を管理する機能を持たせている。本実施の形態では、鍵管理表３０に、個々のコピー・ワンス・コンテンツ４０を識別するためのコンテンツ名３３と、対応つけて、当該コピー・ワンス・コンテンツ４０から派生する通常サイズコンテンツ４１およびサムネイルコンテンツ４２をそれぞれ暗号化するための通常サイズ用コンテンツ鍵３４およびサムネイル用コンテンツ鍵３５を対応付けて記憶させ、マスタ鍵３１で鍵管理表３０を暗号化した上で記憶装置１３に蓄積する。
【００４３】
鍵管理表３０の改竄を防ぐため、最新の鍵管理表３０のハッシュ値３２を鍵管理回路部２４のＲＯＭコア２４ｃにマスタ鍵３１とともに保存し、記憶装置１３にから鍵管理表３０読み出すたびに、マスタ鍵３１で復号すると同時に、鍵管理表３０のハッシュ演算を実施し、鍵管理回路部２４に予め保存されていたハッシュ値３２と合致することを確認することで鍵管理表３０が改竄されていないことを確認する。
【００４４】
図３および図４のフローチャートを参照して、上述のような、図１に例示された映像情報受信装置１０におけるコンテンツの記録および再生処理の一例について説明する。
まず、図３に例示されるように、コピー・ワンス・コンテンツ４０の受信処理では、コピー・ワンス・コンテンツ４０の受信を待ち（ステップ１０１）、コピー・ワンス・コンテンツ４０が受信開始されると、鍵管理回路部２４は、当該コピー・ワンス・コンテンツ４０用に、通常サイズ用コンテンツ鍵３４およびサムネイル用コンテンツ鍵３５を準備する（ステップ１０２）。
【００４５】
そして、コピー・ワンス・コンテンツ４０を受信して放送暗号復号部２１でＢ−ＣＡＳカード８０から入力される復号鍵８１を用いてコピー・ワンス・コンテンツ４０を復号する（ステップ１０３）。
【００４６】
そして、通常サイズコンテンツ暗号化部２２では、放送暗号復号部２１で復号されたコピー・ワンス・コンテンツ４０を、そのまま、鍵管理回路部２４から与えられた通常サイズ用コンテンツ鍵３４で暗号化し（ステップ１０４）、通常サイズコンテンツ４１として記憶装置１３に格納する（ステップ１０５）。
【００４７】
この通常サイズコンテンツ暗号化部２２の処理と並行して、サムネイルコンテンツ生成／暗号化部２３では、デコード部２３ａにおいて、放送暗号復号部２１で復号されたコピー・ワンス・コンテンツ４０を、ＭＰＥＧ２符号化の状態からデコードした後に、縮小処理部２３ｂにおいて表示サイズを縮小する縮小処理を施し、再度、縮小後の動画像データをＭＰＥＧ２に符号化（エンコード）してサムネイルコンテンツ４２を生成し（ステップ１０６）、このサムネイルコンテンツ４２を暗号化部２３ｄで暗号化して（ステップ１０７）、記憶装置１３に格納する（ステップ１０８）。
【００４８】
この処理を、一つのコピー・ワンス・コンテンツ４０の受信が完了するまで実行する（ステップ１０９）。
そして、上述のような一つのコピー・ワンス・コンテンツ４０の受信処理が完了すると、記憶装置１３から鍵管理表３０を読み出してマスタ鍵３１で復号し、ハッシュ値３２の照合チェックを実施して改竄がないことを確認した後、今回新たに受信したコピー・ワンス・コンテンツ４０のコンテンツ名３３と、今回生成された通常サイズ用コンテンツ鍵３４およびサムネイル用コンテンツ鍵３５を対応付けて鍵管理表３０に追加した後（ステップ１１０）、追加後の鍵管理表３０に関する新たなハッシュ値３２を生成してＲＯＭコア２４ｃに記憶した後（ステップ１１１）、マスタ鍵３１で鍵管理表３０を暗号化し（ステップ１１２）、記憶装置１３に格納する（ステップ１１３）。
【００４９】
一方、記憶装置１３に蓄積された通常サイズコンテンツ４１、サムネイルコンテンツ４２を再生する処理は、図４に例示されるように実行される。
すなわち、コンテンツ再生指示を待ち（ステップ１２１）、再生指示が検出されると、まず、鍵管理回路部２４は、記憶装置１３から鍵管理表３０を読み出し（ステップ１２２）、マスタ鍵３１で復号する（ステップ１２３）。さらに、復号した鍵管理表３０からハッシュ値を生成し（ステップ１２４）、当該ハッシュ値と、ＲＯＭコア２４ｃに保持されているハッシュ値３２とが一致することを確認する（ステップ１２５）。
【００５０】
そして、ハッシュ値が一致した場合には、さらに、サムネイルコンテンツ４２の再生か否かを判別し（ステップ１２６）、サムネイルコンテンツ４２の再生の場合には、記憶装置１３から再生部１２に指定されたサムネイルコンテンツ４２を読み出すとともに、対応するサムネイル用コンテンツ鍵３５を鍵管理表３０から読み出して復号部１２ａに入力し、再生部１２でサムネイルコンテンツ４２の再生処理を行わせる（ステップ１２７）。
【００５１】
すなわち、再生部１２では、鍵管理回路部２４から与えられたサムネイル用コンテンツ鍵３５にて、サムネイルコンテンツ４２を復号した後、ＭＰＥＧデコード部１２ｂにて、ＭＰＥＧ２符号化状態をデコードして、ＲＧＢ信号等の映像信号に変換し、モニタ１４に出力して動画像の可視化表示および音響等の出力を行う。
【００５２】
なお、このステップ１２７におけるサムネイルコンテンツ４２のモニタ１４への表示に際しては、後述のように複数のサムネイルコンテンツ４２を同時に並べてモニタ１４に再生表示して任意の一つのサムネイルコンテンツ４２をユーザに選択させ、対応する通常サイズコンテンツ４１の動画像の再生に移行する等の処理を行ってもよい。
【００５３】
一方、上述のステップ１２６でサムネイルコンテンツ４２でない、すなわち通常サイズコンテンツ４１が選択された場合には、鍵管理表３０から通常サイズ用コンテンツ鍵３４を読み出して復号部１２ａに設定するとともに、記憶装置１３から通常サイズコンテンツ４１を読み出して再生部１２の復号部１２ａに入力することで、通常サイズコンテンツ４１の復号を行い、さらに、ＭＰＥＧデコード部１２ｂにてＭＰＥＧ２符号化状態をデコードして、ＲＧＢ信号に変換し、モニタ１４に出力して動画像の可視化表示および音声等の出力を行う（ステップ１２８）。
【００５４】
また、上述のステップ１２５で、ハッシュ値が不一致と判定された場合には、所定のエラー処理を行うとともに、再生処理は行わない（ステップ１２９）。
このように、本実施の形態では、一つのコピー・ワンス・コンテンツ４０から得られた通常サイズコンテンツ４１およびサムネイルコンテンツ４２を暗号化して記憶装置１３に蓄積し、セキュアな鍵管理回路部２４の制御の下で、いずれか一方のみを選択的に再生させるので、コピー・ワンス規約を遵守しつつ、予め通常サイズコンテンツ４１とともにサムネイルコンテンツ４２を生成して蓄積しておくことで、映像情報受信装置１０における処理負荷等を増大させることなく、容易にサムネイルコンテンツ４２の表示によるコピー・ワンス・コンテンツ４０の利用者の利便性の向上を実現することができる。
【００５５】
図５は、本実施の形態の映像情報受信装置１０において複数のサムネイルコンテンツ４２を同時再生する例を示している。
記憶装置１３には複数のコピー・ワンス・コンテンツ４０（この例では、４つ）に対応した複数組の通常サイズコンテンツ４１（コンテンツ１〜コンテンツ４）およびサムネイルコンテンツ４２（サムネイル１〜サムネイル４）のペアが蓄積されている。
【００５６】
通常サイズコンテンツ４１およびサムネイルコンテンツ４２の記憶装置１３に対する蓄積方法は、上述の図１と同様である。
すなわち、コピー・ワンス・コンテンツ４０が放送された時に図１にて説明したように、通常サイズコンテンツ暗号化部２２において通常サイズコンテンツ４１を暗号化して記憶装置１３に蓄積しつつ、サムネイルコンテンツ生成／暗号化部２３において通常サイズコンテンツ４１のデコード、縮小、エンコード、暗号化を行い、記憶装置１３にサムネイルコンテンツ４２として蓄積した。
【００５７】
サムネイルコンテンツ４２の蓄積時に鍵管理回路部２４で通常サイズ用コンテンツ鍵３４、サムネイル用コンテンツ鍵３５、コンテンツ名３３をセットにした鍵管理表３０を作成し、鍵管理表３０の全体のハッシュ値３２を作成し、鍵管理回路部２４内に保存し、またマスタ鍵３１で鍵管理表３０を暗号化した上で記憶装置１３に蓄積した。鍵管理回路部２４には、マスタ鍵３１と鍵管理表３０のハッシュ値３２のみが存在する。
【００５８】
この図５の例では、４つのサムネイルコンテンツ４２を再生する場合の回路動作を説明する。図５で複数のサムネイルコンテンツ４２を並行して再生するべく、再生部１２に４つの復号部１２ａやＭＰＥＧデコード部１２ｂを配置した例が記載されているが、実際には、４つの復号部１２ａやＭＰＥＧデコード部１２ｂが存在しなくても良い。一つの復号部１２ａやＭＰＥＧデコード部１２ｂを時分割多重で使用することも考えられる。個々のサムネイルコンテンツ４２は、通常サイズコンテンツ４１の数分の１のデータサイズであり、処理量が小さい。このため、１つの復号部１２ａやＭＰＥＧデコード部１２ｂで４つのサムネイルコンテンツ４２を時分割処理することは十分可能と考えられる。
【００５９】
複数のサムネイルコンテンツ４２の再生では、まず記憶装置１３から鍵管理回路部２４に鍵管理表３０を読み出し、マスタ鍵３１で複号した上でハッシュ値を計算し、鍵管理回路部２４に既に保存されていたハッシュ値３２と合致していることを確認し、記憶装置１３上の鍵管理表３０が改竄されていないことを確かめる。
【００６０】
次に、鍵管理回路部２４が、鍵管理表３０から取り出した複数のサムネイルコンテンツ４２（この場合、サムネイルコンテンツ１，２，３，４）のサムネイル用コンテンツ鍵３５を個々の復号部１２ａにセットし、暗号化された状態のサムネイルコンテンツ４２を復号する。その後、個々のＭＰＥＧデコード部１２ｂでＭＰＥＧデコード処理を行いＲＧＢ信号等の映像信号に変換した後、モニタ１４に表示する。
【００６１】
これにより、モニタ１４上には、複数のサムネイルコンテンツ４２の動画像が同時に並行して再生される。そして、たとえば、ユーザが任意の一つのサムネイルコンテンツ４２を選択すると、対応する通常サイズコンテンツ４１の表示に移行する。
【００６２】
本実施の形態では、この複数のサムネイルコンテンツ４２のモニタ１４に対する表示では、すべてが動画として再生されるため、ユーザは個々のサムネイルコンテンツ４２の内容の確認を容易かつ確実に行うことができ、複数のサムネイルコンテンツ４２を、コピー・ワンス・コンテンツ４０の選択メニユーとして表示する際の視認性や操作性は大幅に向上する。
【００６３】
次に、通常サイズコンテンツ４１、サムネイルコンテンツ４２の両方を同じ暗号鍵、暗号方式で暗号化する場合について説明する。
図６は、同一コンテンツ鍵、暗号方式を通常サイズコンテンツ４１およびサムネイルコンテンツ４２の暗号化に適用する場合の鍵管理表３０の例である。
【００６４】
この場合、鍵管理表３０には、個々のコピー・ワンス・コンテンツ４０に対応したコンテンツ名３３毎に、通常サイズコンテンツ４１およびサムネイルコンテンツ４２の暗号化／復号に共通に用いられる共通コンテンツ鍵３６と、サムネイルコンテンツ４２を識別するためのサムネイルコンテンツ区別情報３７と、通常サイズコンテンツ４１を識別するための通常サイズコンテンツ区別情報３８が存在する。このサムネイルコンテンツ区別情報３７、通常サイズコンテンツ区別情報３８を使用し、通常サイズコンテンツ４１、サムネイルコンテンツ４２の各々のハッシュ値を生成することでサムネイルか通常コンテンツか区別する。
【００６５】
図７では、ハッシュ値を追加した場合の通常サイズコンテンツ４１（サムネイルコンテンツ４２）のデータ構成の一例を示している。ＭＰＥＧで符号される場合、通常サイズコンテンツ４１、サムネイルコンテンツ４２の各々は複数のＭＰＥＧパケットで構成される。ＭＰＥＧパケットにハッシュ値を追加し、通常サイズコンテンツ４１、サムネイルコンテンツ４２の改竄を検出できるようにする。このハッシュ値による改竄の検出を実行するのは、鍵管理回路部２４である。従い、以降に述べる処理は、鍵管理回路部２４のコンテンツ管理プログラム２４ｆが行う処理である。
【００６６】
具体的には、鍵管理回路部２４が、通常サイズコンテンツ４１（およびサムネイルコンテンツ４２）の各々において、各ＭＰＥＧパケットに対し、ＭＰＥＧパケット４１ａ（ＭＰＥＧパケット４２ａ）に通常サイズコンテンツ区別情報３８（サムネイルコンテンツ区別情報３７）を追加した情報に対してハッシュ演算を実行してハッシュ値４１ｂ（ハッシュ値４２ｂ）を得る。
【００６７】
記憶装置１３には、共通コンテンツ鍵３６で暗号化したＭＰＥＧパケット４１ａとハッシュ値４１ｂ（ＭＰＥＧパケット４２ａとハッシュ値４２ｂ）を蓄積する。通常サイズコンテンツ４１およびサムネイルコンテンツ４２の各々の通常サイズコンテンツ区別情報３８およびサムネイルコンテンツ区別情報３７は、別途、鍵管理表３０をマスタ鍵３１で暗号化した上で記憶装置１３に蓄積する。
【００６８】
再生の際は、鍵管理回路部２４が鍵管理表３０から共通コンテンツ鍵３６とサムネイルコンテンツ区別情報３７、通常サイズコンテンツ区別情報３８をマスタ鍵３１で復号する。
【００６９】
次にコンテンツそのもの（通常サイズコンテンツ４１またはサムネイルコンテンツ４２）を記憶装置１３にから読み出し、共通コンテンツ鍵３６で復号する。この時に復号されるのは、図７のＭＰＥＧパケット４１ａとハッシュ値４１ｂ（ＭＰＥＧパケット４２ａとハッシュ値４２ｂ）である。復号されたＭＰＥＧパケット４１ａ（ＭＰＥＧパケット４２ａ）に、鍵管理表３０から得た通常サイズコンテンツ区別情報３８（サムネイルコンテンツ区別情報３７）を追加してハッシュ演算し、この演算結果が記憶装置１３に蓄積コンテンツから得られたハッシュ値４１ｂ（ハッシュ値４２ｂ）と一致することを確認する。もし、通常サイズコンテンツ区別情報３８（サムネイルコンテンツ区別情報３７）が違えば、ハッシュ値は一致しない。これにより通常サイズコンテンツ４１とサムネイルコンテンツ４２を区別できる。
【００７０】
ハッシュ値４１ｂ（ハッシュ値４２ｂ）の付加によってコンテンツ改竄防止を行う時、上述の図７では個々のＭＰＥＧパケットごとにハッシュ演算６９およびハッシュ値４１ｂ（ハッシュ値４２ｂ）の付加が必要であったが、図８に例示されるように、複数個（図８の例では２個）のＭＰＥＧパケット毎にまとめてハッシュ演算を実行することでハッシュ演算量およびハッシュ値４１ｂ（ハッシュ値４２ｂ）の付加後の通常サイズコンテンツ４１（サムネイルコンテンツ４２）のデータ量を削減することもできる。
【００７１】
図９は、上述の図７および図８等のように、記憶装置１３へ通常サイズコンテンツ４１、サムネイルコンテンツ４２の蓄積時に、ハッシュ値４１ｂ、ハッシュ値４２ｂを追加する処理を、鍵管理回路部２４以外の部分で実現する場合の映像情報受信装置１０の回路構成図の一例を示すブロック図である。
【００７２】
上述の図１の構成に比較して、サムネイルコンテンツ４２を処理するサムネイルコンテンツ生成／暗号化部２３には、ハッシュ演算部２３ｅ、ハッシュ追加部２３ｆが増設されている。
【００７３】
また、特に図示しないが、この場合、通常サイズコンテンツ４１を処理する通常サイズコンテンツ暗号化部２２−１も、ハッシュ演算やハッシュ値４１ｂの通常サイズコンテンツ４１への追加処理の実現のために、縮小処理を行う縮小処理部２３ｂを除いて、サムネイルコンテンツ生成／暗号化部２３と同様の構成となる。
【００７４】
再生処理を行う再生部１２では、上述のハッシュ値４１ｂ（ハッシュ値４２ｂ）の一致不一致をチェックするためのハッシュ演算回路が暗号復号回路の後に追加された構成を有するハッシュチェック／復号部１２ｃが設けられている点が、上述の図１の場合と異なる。
【００７５】
次に、パーソナルコンピュータでデジタル放送のコピー・ワンス・コンテンツ４０を受信する場合に、コピー・ワンス規約を遵守しつつ、通常サイズコンテンツ４１とサムネイルコンテンツ４２を共存させる例について説明する。
【００７６】
図１０に例示されるように、本実施の形態のパーソナルコンピュータ５０は、マイクロプロセッサユニット（ＭＰＵ）５１、主記憶５２、外部記憶装置５３、グラフィック表示回路５４、ユーザ入力インタフェース５５、ディスプレイ５６、さらにはこれらの構成要素を相互に接続する情報伝送路としてのバス５７等を含んでいる。
【００７７】
ＭＰＵ５１は、たとえば、汎用のマイクロプロセッサであり、主記憶５２に格納されたプログラムを実行することで、パーソナルコンピュータ５０の全体を制御する。
主記憶５２は、たとえばデュアルポートＲＡＭ等の記憶媒体で構成され、ＭＰＵ５１がアクセスするプログラムやデータ、さらには、ＭＰＥＧデコードプログラム５８が生成するグラフィック表示回路５４がアクセスする画像データ等が格納される。本実施の形態の場合には、ＭＰＥＧデコードプログラム５８（図１のＭＰＥＧデコード部１２ｂに相当）、復号プログラム５８ａ（図１の復号部１２ａに相当）およびメニュー管理プログラム５９等のプログラムが格納されている。
【００７８】
外部記憶装置５３は、ＨＤＤ（ハード・ディスク・ドライブ）等の不揮発性の記憶装置である。本実施の形態では、後述のようにして受信されるコピー・ワンス・コンテンツ４０に対応した通常サイズコンテンツ４１、サムネイルコンテンツ４２、さらには、これらを管理するための鍵管理表３０が格納される。
【００７９】
グラフィック表示回路５４は、たとえば、主記憶５２内のＭＰＥＧデコードプログラム５８が生成するＲＧＢ等の画像データを読み出してディスプレイ５６に画像を表示する処理を行う。
【００８０】
ディスプレイ５６は、グラフィック表示回路５４から入力されるＲＧＢ信号等の画像データに基づいて、動画像を可視化して表示する。なお、ディスプレイ５６は、図示しないスピーカ等の音響出力装置も備えており、動画像と同期した音響出力も行う。
【００８１】
ユーザ入力インタフェース５５は、キーボード、マウス、あるいはリモートコントローラ（リモコン）等の情報入力装置からなる。
本実施の形態の場合には、デジタル放送からコピー・ワンス・コンテンツ４０を受信する機能を実現するために、バス５７には、権利保護ＬＳＩ６０が接続されている。
【００８２】
さらに、この権利保護ＬＳＩ６０には、ＲＡＭ７１、書き換え可能不揮発性メモリ７２、デジタル変調復調回路７３、外付チューナ７４、等が接続されている。
権利保護ＬＳＩ６０は、暗号化・復号化回路６１、バッファ６２、マイクロプロセッサコア６３、ＩＣカードインタフェース回路６４、Ｉ２Ｃインタフェース回路６５、内部バス６６、ＤＭＡコントローラ６７および汎用バスインタフェース回路６８を含んでいる。
【００８３】
暗号化・復号化回路６１は、上述の図１あるいは図９に例示された放送暗号復号部２１、通常サイズコンテンツ暗号化部２２、通常サイズコンテンツ暗号化部２２−１、サムネイルコンテンツ生成／暗号化部２３の機能を集約して実現する集積回路である。
【００８４】
すなわち、セキュリティ対策のため、上述の図１における権利保護回路２０に相当する部分の機能が、権利保護ＬＳＩ６０として実装されている。それ以外の部分は、ＭＰＵ５１が実行するソフトウェア等で実現している。
【００８５】
さらに、暗号化・復号化回路６１は、バス５７を経由して主記憶５２との間で授受されるコンテンツ等のデータのローカル暗号化および復号処理も行う。
バッファ６２は、この暗号化・復号化回路６１の動作において実行される、コピー・ワンス・コンテンツ４０、通常サイズコンテンツ４１、サムネイルコンテンツ４２等の受信、生成、暗号化、復号、ハッシュ演算、等におけるデータバッファおよび作業領域として用いられるメモリである。
【００８６】
マイクロプロセッサコア６３は、ＲＡＭ７１、書き換え可能不揮発性メモリ７２等と共に、上述の図１、図９等に例示された鍵管理回路部２４の機能を実現する。すなわち、マイクロプロセッサコア６３は、鍵管理回路部２４のＭＰＵコア２４ａに相当し、ＲＡＭ７１はＲＡＭコア２４ｂに相当し、書き換え可能不揮発性メモリ７２は、ＲＯＭコア２４ｃに相当する。
【００８７】
すなわち、ＲＡＭ７１は、マイクロプロセッサコア６３のプログラム領域として使用され、書き換え可能不揮発性メモリ７２はデータ領域として使用される。
書き換え可能不揮発性メモリ７２には、マイクロプロセッサコア６３のブート用のデータ、マスタ鍵３１、ハッシュ値３２等の情報が格納される。
【００８８】
ＩＣカードインタフェース回路６４は、外部のＢ−ＣＡＳカード８０から復号鍵８１を読み出す処理を行う。
Ｉ２Ｃインタフェース回路６５は、マイクロプロセッサコア６３からＩ２Ｃバスインタフェースにて、外付けのデジタル変調復調回路７３や外付チューナ７４を制御するためのバスインタフェースを提供する。
【００８９】
内部バス６６は、暗号化・復号化回路６１、マイクロプロセッサコア６３、ＩＣカードインタフェース回路６４、Ｉ２Ｃインタフェース回路６５、ＲＡＭ７１、書き換え可能不揮発性メモリ７２を相互に接続する情報伝送路を提供する。
【００９０】
ＤＭＡコントローラ６７は、暗号化・復号化回路６１と主記憶５２との間における直接的なデータ転送制御を行う。
汎用バスインタフェース回路６８は、バス５７を構成するＰＣＩバス等の汎用バスに対する権利保護ＬＳＩ６０のバス接続インタフェースを提供する。
【００９１】
外付チューナ７４は、Ｉ２Ｃインタフェース回路６５を介したマイクロプロセッサコア６３の制御下で、デジタル放送の任意のチャネルから、たとえばＭＰＥＧ  ＴＳ（トランスポート・ストリーム）等として到来するコピー・ワンス・コンテンツ４０を受信する。
【００９２】
デジタル変調復調回路７３は、Ｉ２Ｃインタフェース回路６５を介したマイクロプロセッサコア６３の制御下で、外付チューナ７４にて受信されたコピー・ワンス・コンテンツ４０のＯＦＤＭ（Orthogonal Frequency Division Multiplexing）復調、ビタビ復号、デインターリーブ、ＲＳ（リード・ソロモン）復号、等の処理を行う。
【００９３】
このような本実施の形態のパーソナルコンピュータ５０において、デジタル放送のコピー・ワンス・コンテンツ４０を受信する場合、外付チューナ７４、デジタル変調復調回路７３でコピー・ワンス・コンテンツ４０を受信すると、マイクロプロセッサコア６３の管理下で、暗号化・復号化回路６１において、Ｂ−ＣＡＳカード８０から得られる復号鍵８１による復号、通常サイズコンテンツ４１のローカルな暗号化、サムネイルコンテンツ４２の生成およびローカルな暗号化が行われ、外部記憶装置５３に格納される。
【００９４】
なお、暗号化・復号化回路６１で行われるサムネイルコンテンツ生成／暗号化部２３の処理機能のうち、デコード部２３ａ、縮小処理部２３ｂ、エンコード部２３ｃの処理機能は、マイクロプロセッサコア６３、またはＭＰＵ５１にて実行されるソフトウェアで実現してもよい。
【００９５】
ただし、ＭＰＵ５１においてソフトウェアで処理する場合には、バス５７を通る過渡的なデータは、すべて、暗号化・復号化回路６１においてローカルな暗号化が施される。また、使用するソフトウェアにも、難読化等のハッキング対策が施される。
【００９６】
この通常サイズコンテンツ４１、サムネイルコンテンツ４２のローカルな暗号化や復号は、鍵管理表３０に格納された、通常サイズ用コンテンツ鍵３４、サムネイル用コンテンツ鍵３５、あるいは共通コンテンツ鍵３６等を用いることは上述と同様である。
【００９７】
外部記憶装置５３内の鍵管理表３０は、マイクロプロセッサコア６３が、書き換え可能不揮発性メモリ７２に格納されたマスタ鍵３１、ハッシュ値３２にて、改竄や盗用防止を行うことも上述と同様である。
【００９８】
再生時には、メニュー管理プログラム５９から、権利保護ＬＳＩ６０内のマイクロプロセッサコア６３への要求により、必要なコンテンツの復号のための通常サイズ用コンテンツ鍵３４、またはサムネイル用コンテンツ鍵３５をもらい、外部記憶装置５３から読み出した通常サイズコンテンツ４１またはサムネイルコンテンツ４２を、復号プログラム５８ａで復号した後、ＭＰＥＧデコードプログラム５８でデコードし、グラフィック表示回路５４からディスプレイ５６に動画像を表示する。
【００９９】
たとえば、複数のサムネイルコンテンツ４２を時分割で並行して同時再生し、ディスプレイ５６にメニュー表示して、ユーザ入力インタフェース５５を介してユーザに選択させ、選択されたサムネイルコンテンツ４２に対応した通常サイズコンテンツ４１をディスプレイ５６に表示する、等の再生処理が可能である。
【０１００】
このように、本実施の形態のパーソナルコンピュータ５０の場合には、セキュリティ関係の機能が権利保護ＬＳＩ６０に集約されているため、外部からの盗用や改竄が困難な状態で、デジタル放送で受信した特定のコピー・ワンス・コンテンツ４０に対応した通常サイズコンテンツ４１とサムネイルコンテンツ４２を外部記憶装置５３内に併存させ、権利保護ＬＳＩ６０内のマイクロプロセッサコア６３の管理下で、高いセキュリティを維持した状態で、通常サイズコンテンツ４１およびサムネイルコンテンツ４２の一方を選択的に再生することができる。
【０１０１】
すなわち、デジタル放送におけるコピー・ワンスの規約を遵守しつつ、通常サイズコンテンツ４１とサムネイルコンテンツ４２の併存によるユーザの利便性の向上を実現することができる。
なお、本発明は、上述の実施の形態に例示した構成に限らず、その趣旨を逸脱しない範囲で種々変更可能であることは言うまでもない。
【０１０２】
（付記１）
受信された通常の表示サイズの第１映像情報から縮小表示サイズの第２映像情報を生成する画像縮小手段と、
前記第１映像情報を暗号化する第１暗号化手段と、
前記第２映像情報を暗号化する第２暗号化手段と、
暗号化された前記第１および第２映像情報が格納される記憶手段と、
前記第１および第２映像情報のいずれか一方を再生手段にて選択的に再生させる再生制御手段と、
を含むことを特徴とする映像情報受信装置。
（付記２）
付記１記載の映像情報受信装置において、
前記再生制御手段は、前記第１および第２映像情報を互いに対応付けて管理するための管理情報を、当該再生制御手段のみが持つマスタ鍵にて暗号化して管理し、前記管理情報に基づいて互いに対応する前記第１および第２画像情報のいずれか一方を選択的に再生させることを特徴とする映像情報受信装置。
（付記３）
付記２記載の映像情報受信装置において、
前記管理情報は、互いに対応する前記第１および第２映像情報の各々を前記第１および第２暗号化手段で暗号化する際に用いられた互いに異なる暗号鍵の対と、前記第１および第２映像情報に共通なタイトル名称とを対応つけて保持し、
前記再生制御手段は、前記異なる暗号鍵のいずれか一方を前記再生手段に使用させることで、互いに対応する前記第１および第２映像情報のいずれか一方を選択的に再生させることを特徴とする映像情報受信装置。
（付記４）
付記２記載の映像情報受信装置において、
前記管理情報は、互いに対応する前記第１および第２映像情報の各々を前記第１および第２暗号化手段で暗号化する際に用いられた共通の暗号鍵と、前記第１および第２映像情報の各々を識別する識別情報とを、前記第１および第２映像情報に共通なタイトル名称に対応つけて保持し、
前記第２暗号化手段は、前記第２映像情報を構成する単位映像情報と前記第２情報の前記識別情報とからハッシュ値を算出し、前記単位映像情報と前記ハッシュ値を前記暗号鍵で暗号化して前記記憶手段に格納し、
前記再生制御手段は、前記暗号鍵で復号された前記ハッシュ値と、前記管理情報から得られた前記識別情報および前記暗号鍵で復号された前記第１または第２映像情報を構成する前記単位映像情報の組み合わせから生成されるハッシュ値との一致不一致を判定することで、前記第１および第２映像情報を判別して、互いに対応する前記第１および第２映像情報のいずれか一方を前記再生手段において選択的に再生させることを特徴とする映像情報受信装置。
（付記５）
付記１記載の映像情報受信装置において、
前記第１および第２暗号化手段では、前記第１および第２映像情報の各々の暗号化に用いる暗号鍵および暗号化方法の少なくとも一方が互いに異なることを特徴とする映像情報受信装置。
（付記６）
通常の表示サイズの第１映像情報から縮小表示サイズの第２映像情報を生成する画像縮小手段と、
前記第１映像情報を暗号化する第１暗号化手段と、
前記第２映像情報を暗号化する第２暗号化手段と、
暗号化された前記第１または第２映像情報を復号して目視可能に再生する再生手段を制御し、前記第１および第２映像情報のいずれか一方を前記再生手段にて選択的に再生させる再生制御手段と、
を含むことを特徴とする集積回路装置。
（付記７）
利用できるコピーが１個以上存在してはならないという制約を有するコピー・ワンスの映像コンテンツの通常サイズコンテンツと縮小サイズコンテンツの双方が暗号化された状態で存在する記憶装置と、
外部からの不正アクセスが防止されたセキュア領域で前記通常サイズコンテンツおよび前記縮小サイズコンテンツの暗号化、復号、および再生処理を管理することで前記記憶装置に存在する前記通常サイズコンテンツと前記縮小サイズコンテンツの同時利用を制限して、前記縮小サイズコンテンツを用いた前記映像コンテンツのサムネイル表示を実現する再生制御装置と、
を含むことを特徴とする放送受信装置。
（付記８）
付記７記載の放送受信装置において、前記通常サイズコンテンツと前記縮小サイズコンテンツの各々の暗号化に用いる暗号鍵および暗号化方法の少なくとも一方が互いに異なることを特徴とする放送受信装置。
（付記９）
付記７または付記８記載の放送受信装置において、前記通常サイズコンテンツと前記縮小サイズコンテンツが同一内容であることを証明する管理情報が、前記セキュア領域以外から不正アクセスされない暗号化された状態で前記記憶装置に存在することを特徴とする放送受信装置。
（付記１０）
付記９記載の放送受信装置において、前記管理情報は、前記通常サイズコンテンツと前記縮小サイズコンテンツの暗号化に共通に用いられる暗号鍵と、前記通常サイズコンテンツと前記縮小コンテンツの各々を区別する識別情報とを含むことを特徴とする放送受信装置。
（付記１１）
付記１０記載の放送受信装置において、前記通常サイズコンテンツおよび前記縮小サイズコンテンツの各々と対応する前記識別情報の対から生成されたハッシュ値が、前記通常サイズコンテンツおよび前記縮小サイズコンテンツの各々とともに前記記憶装置に格納され、
前記再生制御装置は、復号された前記ハッシュ値と、復号された前記通常サイズコンテンツまたは前記縮小サイズコンテンツと前記識別情報の対から生成されたハッシュ値との一致不一致に基づいて、前記通常サイズコンテンツと前記縮小サイズコンテンツの識別および／または改竄の検出を行うことを特徴とする放送受信装置。
（付記１２）
付記１１記載の放送受信装置において、前記通常サイズコンテンツおよび前記縮小サイズコンテンツはＭＰＥＧパケットからなる動画像であり、一つまたは複数の前記ＭＰＥＧパケット毎に前記ハッシュ値を追加した後に、暗号化して前記記憶装置に格納することを特徴とする放送受信装置。
（付記１３）
通常サイズコンテンツを暗号化する第１暗号化手段と、
通常サイズコンテンツから縮小サイズコンテンツを生成して暗号化する第２暗号化手段と、
前記第１および第２暗号化手段で用いられる鍵情報と、前記通常サイズコンテンツと前記縮小サイズコンテンツが同一内容であることを証明する識別情報とを外部から不正アクセスされない状態で管理する管理手段と、
を含むことを特徴とするシステムＬＳＩ。
【図面の簡単な説明】
【０１０３】
【図１】本発明の一実施の形態である映像情報受信装置の構成の一例を示すブロック図である。
【図２】本発明の一実施の形態である映像情報受信装置にて用いられる鍵管理表の一例を示す概念図である。
【図３】本発明の一実施の形態である映像情報受信装置の受信動作の一例を示すフローチャートである。
【図４】本発明の一実施の形態である映像情報受信装置の再生動作の一例を示すフローチャートである。
【図５】本発明の一実施の形態である映像情報受信装置の再生動作の変形例を示すブロック図である。
【図６】本発明の一実施の形態である映像情報受信装置にて用いられる鍵管理表の変形例を示す概念図である。
【図７】本発明の一実施の形態である映像情報受信装置における通常サイズコンテンツおよびサムネイルコンテンツの保存方法の一例を示す概念図である。
【図８】本発明の一実施の形態である映像情報受信装置における通常サイズコンテンツおよびサムネイルコンテンツの保存方法の変形例を示す概念図である。
【図９】図７および図８の保存方法を実現するための、映像情報受信装置の構成の変形例を示すブロック図である。
【図１０】本発明の一実施の形態である映像情報受信装置をパーソナルコンピュータで実現する場合のシステム構成例を示すブロック図である。
【符号の説明】
【０１０４】
１０  映像情報受信装置
１１  チューナ部
１２  再生部（再生手段）
１２ａ  復号部
１２ｂ  ＭＰＥＧデコード部
１２ｃ  ハッシュチェック／復号部
１３  記憶装置
１４  モニタ
２０  権利保護回路（集積回路装置）
２１  放送暗号復号部
２２  通常サイズコンテンツ暗号化部（第１暗号化手段）
２２−１  通常サイズコンテンツ暗号化部
２３  サムネイルコンテンツ生成／暗号化部
２３ａ  デコード部
２３ｂ  縮小処理部（画像縮小手段）
２３ｃ  エンコード部
２３ｄ  暗号化部（第２暗号化手段）
２３ｅ  ハッシュ演算部
２３ｆ  ハッシュ追加部
２４  鍵管理回路部（再生制御手段）
２４ａ  ＭＰＵコア
２４ｂ  ＲＡＭコア
２４ｃ  ＲＯＭコア
２４ｄ  Ｉ／Ｏインタフェース
２４ｅ  内部バス
２４ｆ  コンテンツ管理プログラム
３０  鍵管理表
３１  マスタ鍵
３２  ハッシュ値
３３  コンテンツ名（タイトル名称）
３４  通常サイズ用コンテンツ鍵
３５  サムネイル用コンテンツ鍵
３６  共通コンテンツ鍵
３７  サムネイルコンテンツ区別情報
３８  通常サイズコンテンツ区別情報
４０  コピー・ワンス・コンテンツ
４１  通常サイズコンテンツ（第１映像情報）
４１ａ  ＭＰＥＧパケット（単位映像情報）
４１ｂ  ハッシュ値
４２  サムネイルコンテンツ（第２映像情報）
４２ａ  ＭＰＥＧパケット（単位映像情報）
４２ｂ  ハッシュ値
５０  パーソナルコンピュータ
５１  マイクロプロセッサユニット
５２  主記憶
５３  外部記憶装置
５４  グラフィック表示回路
５５  ユーザ入力インタフェース
５６  ディスプレイ
５７  バス
５８  ＭＰＥＧデコードプログラム（再生手段）
５８ａ  復号プログラム
５９  メニュー管理プログラム
６０  権利保護ＬＳＩ（集積回路装置）
６１  暗号化・復号化回路
６２  バッファ
６３  マイクロプロセッサコア
６４  ＩＣカードインタフェース回路
６５  Ｉ２Ｃインタフェース回路
６６  内部バス
６７  ＤＭＡコントローラ
６８  汎用バスインタフェース回路
６９  ハッシュ演算
７１  ＲＡＭ
７２  書き換え可能不揮発性メモリ
７３  デジタル変調復調回路
７４  外付チューナ
８０  Ｂ−ＣＡＳカード
８１  復号鍵
【図１】
2007049306.tif 000003
【図２】
2007049306.tif 000004
【図３】
2007049306.tif 000005
【図４】
2007049306.tif 000006
【図５】
2007049306.tif 000007
【図６】
2007049306.tif 000008
【図７】
2007049306.tif 000009
【図８】
2007049306.tif 000010
【図９】
2007049306.tif 000011
【図１０】
2007049306.tif 000012